(57)【要約】【課題】目隠し効果を損なうことなく、通気性、換気性、採光性にも優れ、さらに設置現場での組み立てを簡単なものとし、しかも設置現場でその設置現場の寸法に応じたものにすることができるようにした目隠し部材を提供する。【解決手段】少なくとも一対の支持体１の長手方向にそれぞれ溝部２を形成し、各支持体１間に、底面、または底面および天面がすべて支持体１の外側に向く状態で、端部をそれぞれ各支持体１の溝部２に嵌合して複数の角材３を配置し、これら複数の角材３の相互間に一定の間隔Ｓを有すると共に、複数の角材３の対向する斜面どうしが前記間隔Ｓを有した状態で重なり合うようにしている。【選択図】　　　　図１
2004060272.tif 000002
【特許請求の範囲】
【請求項１】
少なくとも一対の支持体（１）の長手方向にそれぞれ溝部（２）を形成し、各支持体（１）間に、底面、または底面および天面がすべて支持体（１）の外側に向く状態で、端部をそれぞれ各支持体（１）の溝部（２）に嵌合して複数の角材（３）を配置し、これら複数の角材（３）の相互間に一定の間隔（Ｓ）を有すると共に、複数の角材（３）の対向する斜面どうしが前記間隔（Ｓ）を有した状態で重なり合うようにしたことを特徴とする目隠し部材。
【請求項２】
少なくとも一対の支持体（１）の長手方向にそれぞれ溝部（２）を形成し、各支持体（１）間に、底面、または底面および天面がすべて支持体（１）の外側に向く状態で、端部をそれぞれ各支持体（１）の溝部（２）に嵌合して複数の角材（３）を配置し、これら複数の角材（３）の斜面に設けた間隔保持体（４）により、前記複数の角材（３）の相互間に一定の間隔（Ｓ）を有すると共に、複数の角材（３）の対向する斜面どうしが前記間隔（Ｓ）を有した状態で重なり合うようにしたことを特徴とする目隠し部材。
【請求項３】
一対の支持体（１）の長手方向にそれぞれ向かい合わせて溝部（２）を形成し、各支持体（１）間に、断面形状を平行四辺形とし、その底面（３ａ）および天面（３ｂ）がすべて支持体（１）の外側に向く状態で、端部をそれぞれ各支持体（１）の溝部（２）に嵌合して複数の角材（３）を配置し、これら複数の角材（３）の斜面（３ｃ）に設けた間隔保持体（４）により、前記複数の角材（３）の相互間に一定の間隔（Ｓ）を有すると共に、複数の角材（３）の対向する斜面（３ｃ）どうしが前記間隔（Ｓ）を有した状態で重なり合うようにしたことを特徴とする目隠し部材。
【請求項４】
一対の支持体（１）の長手方向にそれぞれ向かい合わせて溝部（２）を形成し、各支持体（１）間に、断面形状を正三角形または二等辺三角形とし、その底面（３ａ）がすべて支持体（１）の外側に向く状態で、端部をそれぞれ各支持体（１）の溝部（２）に嵌合して複数の角材（３）を配置し、これら複数の角材（３）の斜面（３ｃ）に設けた間隔保持体（４）により、前記複数の角材（３）の相互間に一定の間隔（Ｓ）を有すると共に、複数の角材（３）の対向する斜面（３ｃ）どうしが前記間隔（Ｓ）を有した状態で重なり合うようにしたことを特徴とする目隠し部材。
【請求項５】
一対の支持体（１）の長手方向にそれぞれ向かい合わせて溝部（２）を形成し、各支持体（１）間に、断面形状を等脚台形とし、その底面（３ａ）および天面（３ｂ）がすべて支持体（１）の外側に向く状態で、端部をそれぞれ各支持体（１）の溝部（２）に嵌合して複数の角材（３）を配置し、これら複数の角材（３）の斜面（３ｃ）に設けた間隔保持体（４）により、前記複数の角材（３）の相互間に一定の間隔（Ｓ）を有すると共に、複数の角材（３）の対向する斜面（３ｃ）どうしが前記間隔（Ｓ）を有した状態で重なり合うようにしたことを特徴とする目隠し部材。
【発明の詳細な説明】
【０００１】
【発明の属する技術分野】
この発明は、垣根、塀、ドア、引き戸、窓、ベランダなどに使用される目隠し部材に関するものである。
【０００２】
【従来の技術】
従来、この種の目隠し部材としては、自然竹や人工竹を使用したものが存在する。この目隠し部材は、自然竹や人工竹を縦や横に複数本を並列させた構造としたものとしている。
【０００３】
このような目隠し部材では、縦や横に並列させた複数本の自然竹や人工竹の並列間隔をまったく無くして、通気性、換気性、採光性は考慮せず、目隠し効果が損なわれないようにしたり、前記自然竹や人工竹の並列間隔を適当に開けて、目隠し効果はほとんど考慮せず、通気性、換気性、採光性を良くするようにしている。
【０００４】
また、目隠し効果を損なうことなく、通気性、換気性、採光性にも優れた目隠し部材として、ルーバー（鎧板）が存在する。このルーバーは、木材、竹材、合成樹脂材、金属材からなる長尺板を前下がりまたは前上がりに傾斜させ、複数枚を適当な間隔をおいて、四角枠などに横方向または縦方向にして固着したものとしている。そして、前記長尺板を四角枠に固着するのには、ビス止めや溶接によっており、このビス止め作業や溶接作業を目隠し部材の設置現場で行うのは面倒であるため、各種の寸法とした規格品を工場などで生産し、設置現場に出荷している。
【０００５】
【発明が解決しようとする課題】
しかしながら、自然竹や人工竹を使用した従来の目隠し部材では、自然竹や人工竹に節部分があり、この節部分が少し出っ張っているので、自然竹や人工竹を隙間なく縦や横に複数本を並列させようとしても、節部分の出っ張りにより僅かに隙間があいてしまい目隠し効果が損なわれるという課題を有していた。また、その隙間を無くそうとして、自然竹や人工竹の端部分が少し重なるようにして複数本を並列させることもできるが、この場合には、その自然竹や人工竹の使用本数が増加し、コスト高になるという課題を有していた。
【０００６】
さらに、上記従来の目隠し部材では、縦や横に並列させた複数本の自然竹や人工竹の並列間隔を大きく開けると、通気性、換気性、採光性が非常に良くなるが、目隠し効果がほとんど損なわれてしまうという課題を有していた。
【０００７】
また、上記従来の目隠し部材としてのルーバーでは、各種の寸法とした規格品が工場などで生産され、設置現場に出荷されているものの、設置現場の寸法に適したものがなかなか見つからない場合も多く、このような場合には非常に不便であるという課題を有していた。
【０００８】
そこで、この発明は、上記従来の課題を解決するものであり、目隠し効果を損なうことなく、通気性、換気性、採光性にも優れ、さらに設置現場での組み立てを簡単なものとし、しかも設置現場でその設置現場の寸法に応じたものにすることができるようにした目隠し部材を提供することを目的としている。
【０００９】
【課題を解決するための手段】
そのため、この発明の目隠し部材は、少なくとも一対の支持体１の長手方向にそれぞれ溝部２を形成し、各支持体１間に、底面、または底面および天面がすべて支持体１の外側に向く状態で、端部をそれぞれ各支持体１の溝部２に嵌合して複数の角材３を配置し、これら複数の角材３の相互間に一定の間隔Ｓを有すると共に、複数の角材３の対向する斜面どうしが前記間隔Ｓを有した状態で重なり合うようにしている。
【００１０】
そして、この発明の目隠し部材は、少なくとも一対の支持体１の長手方向にそれぞれ溝部２を形成し、各支持体１間に、底面、または底面および天面がすべて支持体１の外側に向く状態で、端部をそれぞれ各支持体１の溝部２に嵌合して複数の角材３を配置し、これら複数の角材３の斜面に設けた間隔保持体４により、前記複数の角材３の相互間に一定の間隔Ｓを有すると共に、複数の角材３の対向する斜面どうしが前記間隔Ｓを有した状態で重なり合うようにしてもよい。
【００１１】
さらに、この発明の目隠し部材は、一対の支持体１の長手方向にそれぞれ向かい合わせて溝部２を形成し、各支持体１間に、断面形状を平行四辺形とし、その底面３ａおよび天面３ｂがすべて支持体１の外側に向く状態で、端部をそれぞれ各支持体１の溝部２に嵌合して複数の角材３を配置し、これら複数の角材３の斜面３ｃに設けた間隔保持体４により、前記複数の角材３の相互間に一定の間隔Ｓを有すると共に、複数の角材３の対向する斜面３ｃどうしが前記間隔Ｓを有した状態で重なり合うようにしてもよい。
【００１２】
また、この発明の目隠し部材は、一対の支持体１の長手方向にそれぞれ向かい合わせて溝部２を形成し、各支持体１間に、断面形状を正三角形または二等辺三角形とし、その底面３ａがすべて支持体１の外側に向く状態で、端部をそれぞれ各支持体１の溝部２に嵌合して複数の角材３を配置し、これら複数の角材３の斜面３ｃに設けた間隔保持体４により、前記複数の角材３の相互間に一定の間隔Ｓを有すると共に、複数の角材３の対向する斜面３ｃどうしが前記間隔Ｓを有した状態で重なり合うようにしてもよい。
【００１３】
さらにまた、この発明の目隠し部材は、一対の支持体１の長手方向にそれぞれ向かい合わせて溝部２を形成し、各支持体１間に、断面形状を等脚台形とし、その底面３ａおよび天面３ｂがすべて支持体１の外側に向く状態で、端部をそれぞれ各支持体１の溝部２に嵌合して複数の角材３を配置し、これら複数の角材３の斜面３ｃに設けた間隔保持体４により、前記複数の角材３の相互間に一定の間隔Ｓを有すると共に、複数の角材３の対向する斜面３ｃどうしが前記間隔Ｓを有した状態で重なり合うようにしてもよい。
【００１４】
【発明の実施の形態】
以下、この発明の目隠し部材の実施の形態を、図面に基づいて詳細に説明する。
【００１５】
この発明の目隠し部材は、少なくとも一対の支持体１の長手方向にそれぞれ溝部２を形成し、各支持体１間に、断面形状を平行四辺形、二等辺三角形、正三角形または等脚台形とし、その底面、または底面および天面がすべて支持体１の外側に向く状態で、端部をそれぞれ各支持体１の溝部２に嵌合して複数の角材３を配置したものとしている。そして、これら複数の角材３の相互間に一定の間隔Ｓを有すると共に、複数の角材３の対向する斜面どうしが前記間隔Ｓを有した状態で重なり合うようにしている。なお、前記複数の角材３の相互間に一定の間隔Ｓを有するものとするには、図１〜１５に示した実施の形態では、複数の角材３の斜面に設けた間隔保持部材４によっており、図１６〜１８に示した実施の形態では、複数の角材３を徐々に長くすることによっている。
【００１６】
図１〜３は、この発明の目隠し部材の一実施形態を示しており、一対の支持体１の長手方向にそれぞれ溝部２を向かい合わせて形成したものとしており、前記角材３の断面形状を平行四辺形としたものであり、角材３は、その底面３ａおよび天面３ｂがすべて支持体１の外側に向く状態で、端部をそれぞれ各支持体１の溝部２に嵌合して配置するようにしており、複数の角材３の相互間に一定の間隔Ｓを有すると共に、複数の角材３の対向する斜面３ｃどうしが一定の間隔を有した状態で重なり合うようにしている。
【００１７】
図６〜８は、この発明の目隠し部材の他の実施形態を示しており、一対の支持体１の長手方向にそれぞれ溝部２を向かい合わせて形成したものとしており、前記角材３の断面形状を正三角形としたものであり、角材３は、その底面３ａがすべて支持体１の外側に向く状態で、端部をそれぞれ各支持体１の溝部２に嵌合して配置するようにしており、複数の角材３の相互間に一定の間隔Ｓを有すると共に、複数の角材３の対向する斜面３ｃどうしが一定の間隔を有した状態で重なり合うようにしている。
【００１８】
図１１〜１３は、この発明の目隠し部材のさらに他の実施形態を示しており、一対の支持体１の長手方向にそれぞれ溝部２を向かい合わせて形成したものとしており、前記角材３の断面形状を等脚台形としたものであり、角材３は、その底面３ａおよび天面３ｂがすべて支持体１の外側に向く状態で、端部をそれぞれ各支持体１の溝部２に嵌合して配置するようにしており、複数の角材３の相互間に一定の間隔Ｓを有すると共に、複数の角材３の対向する斜面３ｃどうしが一定の間隔を有した状態で重なり合うようにしている。
【００１９】
前記支持体１の長手方向にそれぞれ溝部２を向かい合わせて形成するには、図示したように、一対の支持体１を連結体５の両端に立設して平行に配置し、それぞれの内側に溝部２を形成したものとしてもよいが、一対の支持体１をコンクリートブロック等の基礎に適宜間隔をおいて立設して平行に配置し、それぞれの内側に溝部２を形成したものとしてもよい。また、前記一対の支持体１は、図示していないが、連結体５の両端などに横設して平行に配置し、それぞれの内側に溝部２を形成したものとしてもよい。
【００２０】
図１６、１７は、この発明の目隠し部材のさらに他の実施形態を示しており、一対の支持体１の長手方向にそれぞれ溝部２を隣り合わせて形成すると共に、もう一対の支持体１の長手方向にもそれぞれ溝部２を隣り合わせて形成したものとし、前記角材３の断面形状を二等辺三角形としたものであり、角材３は、その底面３ａがすべて支持体１の外側に向く状態で、端部をそれぞれ各支持体１の溝部２に嵌合して配置されるようにしており、複数の角材３の相互間に一定の間隔Ｓを有すると共に、複数の角材３の対向する斜面３ｃどうしが一定の間隔を有した状態で重なり合うようにしている。
【００２１】
前記支持体１の長手方向にそれぞれ溝部２を隣り合わせて形成するには、一対の支持体１の端部どうしを連結して直角に配置し、それぞれの内側に溝部２を形成したものとすればよい。
【００２２】
前記角材３は、木材、合成樹脂、金属などからなり、中が詰まっているものとしても、中空体としてもよい。また、前記角材３の底面３ａや天面３ｂには、図示したように、天然竹や人工竹の平板６を貼り付けたり、塗料をぬって着色したり、木目板、金属や合成樹脂からなる色付き板や模様付き板などを貼り付けるなどして、装飾を施したものとしてもよい。なお、図示したものは、前記角材３の底面３ａおよび天面３ｂの両面に装飾を施したものとしているが、底面３ａまたは天面３ｂの何れか一面に装飾を施したものとしてもよい。
【００２３】
次に、前記複数の角材３の相互間に一定の間隔Ｓを有すると共に、複数の角材３の対向する斜面３ｃどうしが一定間隔を有した状態で重なり合うようにするための前記間隔保持部材４の長さは、斜面３ｃの傾斜角に応じて決められ、傾斜角が大きいほど長くし、傾斜角が小さいほど短くしている。したがって、前記角材３の斜面３ｃの傾斜角に応じて、前記間隔保持部材４の長さ調節を行えば、目隠し効果を損なうことなく、通気性、換気性、採光性にも優れたものとすることができる。
【００２４】
前記間隔保持部材４は、図４、９、１４に示したように、角材３の少なくと一つの斜面３ｃの両端部に形成された小突起とすることができる。また、前記間隔保持部材４は、角材３の少なくと一つの斜面３ｃの両端部に形成されたリブなどとすることができる。さらに、前記間隔保持部材４は、図示していないが、角材３の全ての斜面３ｃに設けたものとしてもよい。また、間隔保持部材４をリブとした場合には、図５、１０、１５に示したように、そのリブを角材３の斜面３ｃだけでなく、角材３の全面に形成したものとすれば、そのリブが、角材３の斜面３ｃ間では間隔保持部材４となり、角材３の底面３ａまたは天面３ｂにおいては装飾体となる。
【００２５】
以上のように構成したこの発明の目隠し部材は、その設置現場において、図２、７、１２に示したように、一対の支持体１を、角材３の長さの間隔をあけて、それぞれ長手方向に形成した溝部２を向かい合わせて連結体５の両端に立設する。そして、図示したものでは、一対の支持体１の溝部２に、複数の角材３を横にして、その端部をそれぞれ下から順に上へ次々に嵌合していき、角材３がこの支持体１の上端までくると、必要に応じて、その支持体１間に、図示したような被覆部材７を掛け渡して、この被覆部材７の両端を支持体１の上端にビス止めや釘止めするなどして固着すれば、角材３はその支持体１から抜け落ちないものとなる。このようにすると、この発明の目隠し部材は、図示したような、四角の平板状の目隠し部材となる。なお、角材３を支持体１から抜け落ちないようにするには、前記被覆部材７を掛け渡すことなく、一対の支持体１の溝部２に嵌合した最上部の角材３の端部に、その支持体１の外側からビスを捻じ込んだり、釘を打ちつけるなどして、一対の支持体１に直接、最上部の角材３を固着してもよい。
【００２６】
前記した実施の形態では、一対の支持体１は、連結体５の両端に立設したものとしたが、連結体５の両端に横設することもできる。この場合には、一対の支持体１の溝部２に、複数の角材３を縦にして、その端部をそれぞれ奥から順に手前へ次々に嵌合していき、角材３がこの支持体１の端部までくると、前記したのと同様に固着して、角材３を支持体１から抜け落ちないようにすればよい。
【００２７】
さらに、この発明の目隠し部材は、その設置現場において、一対の支持体１を直角状態に連結し、その一対の支持体１の溝部２に、図１８に示したような、徐々に長くした複数の角材３を斜めにして、図１７に示したように、その端部を一対の支持体１の角部から端部まで次々に嵌合して行き、角材３がこの支持体１の端部までくると、前記したのと同様に固着して、角材３を支持体１から抜け落ちないようにする。このようにすると、この発明の目隠し部材は、図示していないが、直角二等辺三角形の平板状の目隠し部材となる。
【００２８】
また、この発明の目隠し部材は、その設置現場において、一対の支持体１を直角状態に連結すると共に、もう一対の支持体１も直角状態に連結し、一対の支持体１の溝部２に、図１８に示したような、徐々に長くした複数の角材３を斜めにして、その端部を一対の支持体１の角部から端部まで次々に嵌合して行くと共に、もう一対の支持体１の溝部２にも、徐々に長くした複数の角材３を斜めにして、その端部を一対の支持体１の角部から端部まで次々に嵌合して行く。そして、一対の支持体１の両端部と、もう一対の支持体１の両端部を合わせて、ビス止めや釘止めするなどして固着すれば、角材３は各支持体１から抜け落ちないようにする。このようにすると、この発明の目隠し部材は、図１６に示したような、四角の平板状の目隠し部材となる。
【００２９】
以上のように、前記支持体１を連結体５の両端に立設、または横設したものとしたり、支持体１の端部どうしを連結して直角に配置したものとしても、設置現場での作業中に、その設置現場の高さや幅に応じた長さに、その支持体１を切断することができる。そして、その切断した支持体１の端部まで角材３を嵌合していけば、前記したのと同様に目隠し部材を組み立てることができる。
【００３０】
したがって、この発明の目隠し部材は、設置現場での組み立てが簡単なものなると共に、設置現場でその設置現場の高さや幅に応じた寸法にすることができるものとなる。
【００３１】
【発明の効果】
この発明の目隠し部材は、以上に述べたように構成されているので、目隠し効果を損なうことなく、通気性、換気性、採光性にも優れたものとすることができ、さらに設置現場での組み立てが簡単なものとなり、しかも設置現場でその設置現場の寸法に応じたものにすることができるので、非常に便利なものとなる。
【図面の簡単な説明】
【図１】この発明の目隠し部材の一実施形態を示す斜視図である。
【図２】図１に示すこの発明の目隠し部材の組立て状態を示す斜視図である。
【図３】図１に示すこの発明の目隠し部材の断面図である。
【図４】図１に示すこの発明の目隠し部材の角材の一例を示す斜視図である。
【図５】図１に示すこの発明の目隠し部材の角材の他の例を示す斜視図である。
【図６】この発明の目隠し部材の他の実施形態を示す斜視図である。
【図７】図６に示すこの発明の目隠し部材の組立て状態を示す斜視図である。
【図８】図６に示すこの発明の目隠し部材の断面図である。
【図９】図６に示すこの発明の目隠し部材の角材の一例を示す斜視図である。
【図１０】図６に示すこの発明の目隠し部材の角材の他の例を示す斜視図である。
【図１１】この発明の目隠し部材のさらに他の実施形態を示す斜視図である。
【図１２】図１１に示すこの発明の目隠し部材の組立て状態を示す斜視図である。
【図１３】図１１に示すこの発明の目隠し部材の断面図である。
【図１４】図１１に示すこの発明の目隠し部材の角材の一例を示す斜視図である。
【図１５】図１１に示すこの発明の目隠し部材の角材の他の例を示す斜視図である。
【図１６】この発明の目隠し部材のさらに他の実施形態を示す斜視図である。
【図１７】図１６に示すこの発明の目隠し部材の組立て状態を示す斜視図である。
【図１８】図１６に示すこの発明の目隠し部材の角材の一例を示す斜視図である。
【符号の説明】
１　支持体
２　溝部
３　角材
３ａ　底面
３ｂ　天面
３ｃ　斜面
４　間隔保持部材
Ｓ　間隔
【図１】
2004060272.tif 000003
【図２】
2004060272.tif 000004
【図３】
2004060272.tif 000005
【図４】
2004060272.tif 000006
【図５】
2004060272.tif 000007
【図６】
2004060272.tif 000008
【図７】
2004060272.tif 000009
【図８】
2004060272.tif 000010
【図９】
2004060272.tif 000011
【図１０】
2004060272.tif 000012
【図１１】
2004060272.tif 000013
【図１２】
2004060272.tif 000014
【図１３】
2004060272.tif 000015
【図１４】
2004060272.tif 000016
【図１５】
2004060272.tif 000017
【図１６】
2004060272.tif 000018
【図１７】
2004060272.tif 000019
【図１８】
2004060272.tif 000020